(57)【要約】      （修正有）【課題】上方からの荷重に対して十分な強度を有し、その製作コストを低減することができる放射性廃棄物保管用密閉容器を提供する。【解決手段】上端部に開口部が形成された角型箱形状の箱体部を備えた容器本体２４と、容器本体の上端部に配置されて開口部を閉塞する蓋部材２６と、容器本体の上端部と蓋部材の周縁部を一体的に締結する締結部材２８を備え、箱体部は、その水平方向の四隅部の角部のそれぞれに、所定の曲げ半径で形成された曲面部が、角部の上端部から下端部まで連続して形成されている。また、箱体部は、４つの側板を備え、側板の水平方向の一方の端部と、これと隣り合って配置される他の側板の水平方向の他方の端部が、箱体部のそれぞれの側面の水平方向の略中央位置で互いに突き合わせるように接合配置されている。【選択図】図１
0003219222.tif 000002
【実用新案登録請求の範囲】
【請求項１】
上端部に開口部が形成された角型箱形状の箱体部を備えた容器本体と、
前記容器本体の上端部に配置されて前記開口部を閉塞する蓋部材と、
前記容器本体の上端部と前記蓋部材の周縁部を一体的に締結する締結部材を備え、
前記箱体部は、その水平方向の四隅部の角部のそれぞれに、所定の曲げ半径で形成された曲面部が、前記角部の上端部から下端部まで連続して形成された
ことを特徴とする放射性廃棄物保管用密閉容器。
【請求項２】
前記箱体部は、外形が略長方形に形成された板状の部材を、その水平長さ方向の略中央位置において、略直角に折り曲げたような４つの側板を備え、
前記４つの側板は、それぞれの側板の水平方向の一方の端部と、これと隣り合って配置される他の側板の水平方向の他方の端部が、前記箱体部のそれぞれの側面の水平方向の略中央位置で互いに突き合わせるように配置され、この突き合わせた部分において互いに接合された
ことを特徴とする請求項１に記載の放射性廃棄物保管用密閉容器。
【請求項３】
前記側板の水平方向の一方の端部には、前記一方の端部と略平行、かつ前記一方の端部から前記箱体部の内側へ向けてわずかに凹んだ段差状の側板接合部が、前記一方の端部に沿って形成され、
前記側板の下端部には、前記側板の下端部が前記箱体部の内側へ向けて略直角に折り曲げられた底板接合部が、前記側板の下端部に沿って形成された
ことを特徴とする請求項２に記載の放射性廃棄物保管用密閉容器。
【請求項４】
前記底板接合部は、その幅方向の寸法が、前記曲面部の下辺部の両端から中央に近づくにつれて徐々に小さくなるように形成された
ことを特徴とする請求項３に記載の放射性廃棄物保管用密閉容器。
【請求項５】
前記箱体部の水平方向の一辺の寸法は１１００〜１３５０ｍｍに形成され、前記曲面部の曲げ半径は５０〜１５０ｍｍに形成された
ことを特徴とする請求項１から４のいずれかに記載の放射性廃棄物保管用密閉容器。
【請求項６】
前記締結部材は、前記容器本体の上端部と前記容器本体の上端部に載置された前記蓋部材の四隅部にそれぞれ配置され、
それぞれの前記締結部材は、前記容器本体の上端部と前記蓋部材の四隅部に沿うような略Ｌ字型に形成されると共に、長さ方向に対して垂直な断面が、前記容器本体の上端部と前記蓋部材の周縁部を上下から挟み込むような鋏状に形成され、
互いに隣り合う前記締結部材の端部同士が互いに接近する方向に移動するように締結することにより、前記容器本体の上端部と前記蓋部材の周縁部が互いに上下方向に接近して密着するように構成された
ことを特徴とする請求項１から５のいずれかに記載の放射性廃棄物保管用密閉容器。
【請求項７】
前記蓋部材の上面には少なくとも一つの取っ手が設けられると共に、
前記容器本体の底部には、前記容器本体の底部に沿って伸び、互いに所定の間隔おいて平行に並んで配置された複数の桁材が設けられ、
前記複数の桁材の間には、所定の長さを有する長方形の板状の部材をその長さ方向と直角な幅方向の中央位置で略９０度折り曲げて形成された複数の山形傾斜桁材が、その長さ方向が前記桁材と直角な方向に伸び、互いに所定の間隔をおいて平行に並んで配置され、
前記放射性廃棄物保管用密閉容器の上側に同形の他の放射性廃棄物保管用密閉容器を積み重ねて、前記上側の放射性廃棄物保管用密閉容器の水平方向の位置と、下側の前記放射性廃棄物保管用密閉容器の水平方向の位置が揃っている場合は、下側の前記放射性廃棄物保管用密閉容器の前記取っ手は、前記上側の放射性廃棄物保管用密閉容器の前記複数の桁材の間、かつ、前記複数の山形傾斜桁材の間に配置され、
前記上側の放射性廃棄物保管用密閉容器の水平方向の位置と、下側の前記放射性廃棄物保管用密閉容器の水平方向の位置がずれた状態で、前記上側の放射性廃棄物保管用密閉容器を積み重ねようとした場合は、下側の前記放射性廃棄物保管用密閉容器の前記取っ手が、前記上側の放射性廃棄物保管用密閉容器の前記桁材、又は／及び、前記山形傾斜桁材に接触して摺動することにより、前記上側の放射性廃棄物保管用密閉容器の水平方向の位置と、下側の前記放射性廃棄物保管用密閉容器の水平方向の位置が揃うよう構成された
ことを特徴とする請求項１から６のいずれかに記載の放射性廃棄物保管用密閉容器。
【考案の詳細な説明】
【技術分野】
【０００１】
本考案は、内部に形成される密閉空間に放射性廃棄物を収納して、安全に保管するために用いられる放射性廃棄物保管用密閉容器に関するものである。
【背景技術】
【０００２】
放射性廃棄物を保管するための保管用密閉容器としては、その内部に形成された密閉空間に放射性廃棄物を収納すると共に、複数の保管用密閉容器を縦方向に積み重ねて設置することにより、容器の水平方向の設置スペースを増やすことなく、大量の放射性廃棄物を保管することができる角型密閉容器が用いられていた（特許文献１参照）。
【０００３】
図１１及び図１２は、従来の放射性廃棄物保管用密閉容器２について説明するために参照する図である。
【０００４】
従来の保管用密閉容器２は、図１１に示すように、上端部が開放された箱形の容器本体４と、この容器本体４の上端部に載置されてその開口部を閉塞する蓋部材６と、これら容器本体４の上端部と蓋部材６の周縁部に配置されて、これらの部材を一体的に締結する４つの締結部材８を備えていた。
【０００５】
保管用密閉容器２の容器本体４は、略正方形の底部を有し、上端部が開放された角型の箱状に形成された箱体部４ａを備え、この箱体部４ａは、外形が略正方形の板状に形成された底板１０と、外形が略長方形の板状に形成された４つの側板１２を備えて構成されていた。
【０００６】
これら４つの側板１２はそれぞれが、略長方形に形成された板状の側面部１２ａを有し、側板１２の下側の端部、すなわち、側面部１２ａの下辺部には、図１２（ｂ）に示すように、側板１２の下端部が、箱体部４ａの内側（図の右側）へ向けて略直角に折り曲げられたような板状の底板接合部１２ｂが、側板１２の下辺部に沿って形成されていた。
【０００７】
また、４つの側板１２のうちの、互いに対向して配置される２つの側板１２には、側板１２の左右両側の端部、すなわち、側面部１２ａの左右の辺部には、図１２（ａ）に示すように、側板１２の左右それぞれの端部が、箱体部４ａの内側（図の右側）へ向けて略直角に折り曲げられたような板状の側板接合部１２ｃが、側板１２の左右それぞれの辺部に沿って形成されていた。
【０００８】
このような側板１２と底板１０が、底板１０が箱の底部を構成し、４つの側板１２が箱の側面を構成するように組み合わされることにより、箱体部４ａは箱形に形成されていた。（特許文献１の図２参照）。
【０００９】
このとき、４つの側板１２は、箱体部４ａの水平方向の四隅部の角部において、それぞれの左右の端部同士を互いに突き合わせるように配置され、この突き合わせた部分において互いに接合されるようになっていた。
【００１０】
すなわち、図１２（ａ）に示すように、側板１２の右側（又は左側）の端部に設けられた側板接合部１２ｃの外側面（図中上側の面）が、隣り合って配置された他の側板１２の左側（又は右側）の端部に沿ってその内側面（図中下側の面）に接触するように配置され、この接触部が、容器の外側（図の左上側）から、側板３２の左側（又は右側）の端部に沿って設けられた溶接部Ｗ１で連続して溶接されると共に、容器の内側（図の右下側）から、側板１２の右側（又は左側）の端部に沿って設けられた溶接部Ｗ２で部分的に溶接されることにより、互いに隣り合う側板１２同士が隙間なく接合されていた。
【００１１】
そして、側板１２と底板１０は、側板１２の下端部が、底板１０の辺部に沿うようにその上面に接触して配置され、この接触部において互いに接合されるようになっていた。
【００１２】
すなわち、図１２（ｂ）に示すように、側板１２の下端部に設けられた底板接合部１２ｂの下面が、底板１０の辺部に沿ってその上面に接触するように配置され、この接触部が、容器の外側（図の左下側）から、底板１０の辺部の外縁部に沿って設けられた溶接部Ｗ３で連続して溶接されると共に、容器の内側（図の右上側）から、側板１２の底板接合部１２ｂの先端部に沿って設けられた溶接部Ｗ４で部分的に溶接されることにより、側板１２と底板１０が隙間なく接合されていた。
【００１３】
そして、このような箱体部４ａの底部に、容器本体４の脚部として、４つの桁材１４が、箱体部４ａの底板１０の下面に沿って伸び、互いに所定の間隔をおいて平行に並ぶように設けられていた。
【００１４】
保管用密閉容器２の蓋部材６は、その平面形状が容器本体４の上端部の開口部の外形より一回り大きく形成されており、この蓋部材６が容器本体４の上端部に載置されることにより、容器本体４の上端部の開口部が閉塞されて、容器本体４の内部に密閉された空間が形成されるようになっていた（特許文献１の図４参照）。
【００１５】
そして、その長さ中央部で直角に折れ曲って略Ｌ字状に形成された４つの締結部材８が、容器本体４とその上端部に載置された蓋部材６の周縁部の四隅部のそれぞれに配置されていた。これらの締結部材８は、その長さ部分が容器本体４の上端部と蓋部材６の周縁部を上下から挟み込むように配置されており、ボルトとナットを用いて、互いに隣り合う締結部材８の端部同士を締め付けることにより、保管用密閉容器２の内部空間の密閉状態が維持されるようになっていた。
【００１６】
このような保管用密閉容器２は、容器本体４と蓋部材６によって形成された内部空間に放射性廃棄物を収納し、締結部材８を用いて容器を密閉することにより、放射性廃棄物を、その放射性物質が容器の外部に漏えいすることなく、安全に保管することができるようになっていた。
【００１７】
また、このような保管用密閉容器２は、フォークリフト等により持ち上げて移動することができるようになっており、保管用密閉容器２を持ち上げて他の同形の保管用密閉容器２の上に縦方向に積み重ねて設置することにより、容器の水平方向の設置スペースを増やすことなく、大量の放射性廃棄物を保管することができるようになっていた。
【先行技術文献】
【特許文献】
【００１８】
【特許文献１】特許第３９２６３４６号公報
【考案の概要】
【考案が解決しようとする課題】
【００１９】
上述したように、従来の保管用密閉容器２は、複数の容器を縦方向に積み重ねて設置されるため、積み重ねた複数の容器のうちの下の方に設置された容器に対して、その上に積み重ねられた容器の重量が、上方からの荷重として加えられるようになっていた。
【００２０】
そして、このような上方からの大きな荷重が従来の保管用密閉容器２に対して加えられた場合、加えられた荷重が容器本体４の水平方向の四隅部の角部の一点に集中して、箱体部４ａの側面を構成する側板１２同士の接合部に大きな負荷がかかり、その結果、これら側板１２同士の接合部、特にその溶接個所が破断してしまい、容器本体４が破損するおそれがあった。
【００２１】
従来の保管用密閉容器２においては、上方からの荷重に対する強度を向上させるために、容器を補強するための補強リブ（図示せず）を容器本体４の内側面に設けたりしていたが、これにより、容器に使用する材料の量や容器の製作工程が増えるため、容器の製作コストが増大するという問題があった。
【００２２】
さらに、容器本体４の内側に補強リブのような突起があることにより、収納できる放射性廃棄物の量が減少すると共に、清掃や洗浄等の容器のメンテナンス性が低下するおそれがあり、また、保管用密閉容器２自体の重量が増えるために、容器の取り扱いが悪化するおそれもあった。
【００２３】
そこで本考案は、上記問題点に鑑みて、上方からの荷重に対して十分な強度を有し、その製作コストを低減することができる放射性廃棄物保管用密閉容器を提供することを課題とするものである。
【課題を解決するための手段】
【００２４】
上記課題を解決するために、本考案による放射性廃棄物保管用密閉容器は、
上端部に開口部が形成された角型箱形状の箱体部を備えた容器本体と、
前記容器本体の上端部に配置されて前記開口部を閉塞する蓋部材と、
前記容器本体の上端部と前記蓋部材の周縁部を一体的に締結する締結部材を備え、
前記箱体部は、その水平方向の四隅部の角部のそれぞれに、所定の曲げ半径で形成された曲面部が、前記角部の上端部から下端部まで連続して形成された
ことを特徴とするものである。
【００２５】
また、本考案による放射性廃棄物保管用密閉容器は、
前記箱体部は、外形が略長方形に形成された板状の部材を、その水平長さ方向の略中央位置において、略直角に折り曲げたような４つの側板を備え、
前記４つの側板は、それぞれの側板の水平方向の一方の端部と、これと隣り合って配置される他の側板の水平方向の他方の端部が、前記箱体部のそれぞれの側面の水平方向の略中央位置で互いに突き合わせるように配置され、この突き合わせた部分において互いに接合された
ことを特徴とするものである。
【００２６】
また、本考案による放射性廃棄物保管用密閉容器は、
前記側板の水平方向の一方の端部には、前記一方の端部と略平行、かつ前記一方の端部から前記箱体部の内側へ向けてわずかに凹んだ段差状の側板接合部が、前記一方の端部に沿って形成され、
前記側板の下端部には、前記側板の下端部が前記箱体部の内側へ向けて略直角に折り曲げられた底板接合部が、前記側板の下端部に沿って形成された
ことを特徴とするものである。
【００２７】
また、本考案による放射性廃棄物保管用密閉容器は、
前記底板接合部は、その幅方向の寸法が、前記曲面部の下辺部の両端から中央に近づくにつれて徐々に小さくなるように形成された
ことを特徴とするものである。
【００２８】
また、本考案による放射性廃棄物保管用密閉容器は、
前記箱体部の水平方向の一辺の寸法は１１００〜１３５０ｍｍに形成され、前記曲面部の曲げ半径は５０〜１５０ｍｍに形成された
ことを特徴とするものである。
【００２９】
また、本考案による放射性廃棄物保管用密閉容器は、
前記締結部材は、前記容器本体の上端部と前記容器本体の上端部に載置された前記蓋部材の四隅部にそれぞれ配置され、
それぞれの前記締結部材は、前記容器本体の上端部と前記蓋部材の四隅部に沿うような略Ｌ字型に形成されると共に、長さ方向に対して垂直な断面が、前記容器本体の上端部と前記蓋部材の周縁部を上下から挟み込むような鋏状に形成され、
互いに隣り合う前記締結部材の端部同士が互いに接近する方向に移動するように締結することにより、前記容器本体の上端部と前記蓋部材の周縁部が互いに上下方向に接近して密着するように構成された
ことを特徴とするものである。
【００３０】
また、本考案による放射性廃棄物保管用密閉容器は、
前記蓋部材の上面には少なくとも一つの取っ手が設けられると共に、
前記容器本体の底部には、前記容器本体の底部に沿って伸び、互いに所定の間隔おいて平行に並んで配置された複数の桁材が設けられ、
前記複数の桁材の間には、所定の長さを有する長方形の板状の部材をその長さ方向と直角な幅方向の中央位置で略９０度折り曲げて形成された複数の山形傾斜桁材が、その長さ方向が前記桁材と直角な方向に伸び、互いに所定の間隔をおいて平行に並んで配置され、
前記放射性廃棄物保管用密閉容器の上側に同形の他の放射性廃棄物保管用密閉容器を積み重ねて、前記上側の放射性廃棄物保管用密閉容器の水平方向の位置と、下側の前記放射性廃棄物保管用密閉容器の水平方向の位置が揃っている場合は、下側の前記放射性廃棄物保管用密閉容器の前記取っ手は、前記上側の放射性廃棄物保管用密閉容器の前記複数の桁材の間、かつ、前記複数の山形傾斜桁材の間に配置され、
前記上側の放射性廃棄物保管用密閉容器の水平方向の位置と、下側の前記放射性廃棄物保管用密閉容器の水平方向の位置がずれた状態で、前記上側の放射性廃棄物保管用密閉容器を積み重ねようとした場合は、下側の前記放射性廃棄物保管用密閉容器の前記取っ手が、前記上側の放射性廃棄物保管用密閉容器の前記桁材、又は／及び、前記山形傾斜桁材に接触して摺動することにより、前記上側の放射性廃棄物保管用密閉容器の水平方向の位置と、下側の前記放射性廃棄物保管用密閉容器の水平方向の位置が揃うよう構成された
ことを特徴とするものである。
【考案の効果】
【００３１】
このような本考案の放射性廃棄物保管用密閉容器によれば、
上端部に開口部が形成された角型箱形状の箱体部を備えた容器本体と、
前記容器本体の上端部に配置されて前記開口部を閉塞する蓋部材と、
前記容器本体の上端部と前記蓋部材の周縁部を一体的に締結する締結部材を備え、
前記箱体部は、その水平方向の四隅部の角部のそれぞれに、所定の曲げ半径で形成された曲面部が、前記角部の上端部から下端部まで連続して形成されたことにより、
上方からの荷重に対して十分な強度を有し、その製作コストを低減することができる。
【図面の簡単な説明】
【００３２】
【図１】本考案の第１の実施の形態に係る保管用密閉容器２２の斜視図である。
【図２】図１に示す保管用密閉容器２２の容器本体２４の斜視図である。
【図３】図２に示す容器本体２４の箱体部２４ａの側面を構成する側板３２を示す図であって、図３（ａ）はその一部を省略した正面図であり、図３（ｂ）はその一部を省略した図３（ａ）におけるＡ−Ａ線矢視断面図である。
【図４】保管用密閉容器２２の容器本体２４の箱体部２４ａを構成する、４つの側板３２及び底板３０の接合部の形態を説明するための図であって、図４（ａ）は隣り合う側板３２同士の接合部、図４（ｂ）は側板３２と底板３０の接合部をそれぞれ拡大した概略断面図である。
【図５】図１に示す保管用密閉容器２２の容器本体２４を示す図であって、図５（ａ）はその底面図であり、図５（ｂ）はその一部を省略した図５（ａ）におけるＢ−Ｂ線矢視断面図である。
【図６】図１に示す保管用密閉容器２２の蓋部材２６を示す図であって、図６（ａ）はその平面図であり、図６（ｂ）はその拡大側面図である。
【図７】図１に示す保管用密閉容器２２の締結部材２８を示す図であって、その直線部２８ａの一部を省略した図であり、図７（ａ）はその平面図であり、図７（ｂ）はその側面図である。
【図８】図１に示す保管用密閉容器２２の締結部材２８の締結部の周辺を拡大した図であって、図８（ａ）はその拡大斜視図であり、図８（ｂ）は図８（ａ）におけるＣ−Ｃ線矢視拡大断面図である。
【図９】本考案の第２の実施の形態に係る保管用密閉容器５２の斜視図である。
【図１０】図９に示す保管用密閉容器５２の締結部材５８の締結部の周辺を拡大した図であって、図１０（ａ）はその拡大斜視図であり、図１０（ｂ）は図１０（ａ）におけるＤ−Ｄ線矢視拡大断面図である。
【図１１】従来の保管用密閉容器２の斜視図である。
【図１２】従来の保管用密閉容器２の容器本体４の箱体部４ａを構成する、４つの側板１２及び底板１０の接合部の形態を説明するための図であって、図１２（ａ）は隣り合う側板１２同士の接合部、図１２（ｂ）は側板１２と底板１０の接合部をそれぞれ拡大した概略断面図である。
【考案を実施するための形態】
【００３３】
以下、本考案に係る放射性廃棄物保管用密閉容器を実施するための形態について、図面に基づいて具体的に説明する。
【００３４】
図１ないし図８は、本考案の第１の実施の形態に係る放射性廃棄物保管用密閉容器２２について説明するために参照する図である。なお、図１１ないし図１２に示した従来の保管用密閉容器２と同様の部分については、一部を除き同じ符号を付して説明するものとする。
【００３５】
本実施の形態に係る保管用密閉容器２２は、図１に示すように、上端部が開放された箱形の容器本体２４と、容器本体２４の上端部に載置されてその開口部を閉塞する蓋部材２６と、これら容器本体２４の上端部と蓋部材２６の周縁部に配置されて、これらの部材を一体的に締結する４つの締結部材２８を備えている。
【００３６】
保管用密閉容器２２の容器本体２４は、図２に示すように、略正方形の底部を有し、上端部が開放された角型の箱状に形成された箱体部２４ａと、この箱体部２４ａの底部に設けられた脚部２４ｂを備えている。
【００３７】
そして、容器本体２４の箱体部２４ａは、外形が略正方形の板状に形成された底板３０と、外形が略長方形に形成された板状の部材を、その水平長さ方向の略中央位置において、略直角に折り曲げたような形状に形成された４つの側板３２を備えて構成されている。
【００３８】
これら４つの側板３２はそれぞれが、図３（ａ）及び（ｂ）に示すように、略直角に折り曲げられた折曲部を挟んでその左右両側に、それぞれが略同一の大きさの略長方形の板状に形成された第１側面部３２ａ及び第２側面部３２ｂが形成され、これら第１側面部３２ａ及び第２側面部３２ｂの間に、それぞれの水平方向の一方の端部から連続して、曲面部３２ｃが形成されたような形状に形成されている。
【００３９】
この曲面部３２ｃは、図３（ｂ）に示すように、その水平断面が、所定の曲げ半径Ｒで形成された略４分の１の円弧状に形成され、第１側面部３２ａ及び第２側面部３２ｂの間に、それぞれの水平方向の一方の端部に沿って、その上端部から下端部まで連続して形成されている。
【００４０】
また、側板３２の上端部、すなわち、側板３２の第１側面部３２ａ、第２側面部３２ｂ及びそれらの間に形成された曲面部３２ｃのそれぞれの上辺部には、図３（ａ）の左上部に示すように、側板３２の上端部が、その垂直断面が円形になるように、箱体部２４ａの外側（図の左側、又は紙面奥側）へ向けて丸めるように曲げられた円筒状の上端補強部３２ｄが、側板３２の第１側面部３２ａ、第２側面部３２ｂ及び曲面部３２ｃの上辺部に沿って形成されており、この上端補強部３２ｄの内側に芯金２５が巻き込まれるように配置されている。
【００４１】
また、側板３２の下端部、すなわち、側板３２の第１側面部３２ａ、第２側面部３２ｂ及びそれらの間に形成された曲面部３２ｃのそれぞれの下辺部には、図３（ａ）の左下部に示すように、側板３２の下端部が、箱体部２４ａの内側（図の右側、又は紙面手前側）へ向けて略直角に折り曲げられたような板状の底板接合部３２ｅが、図３（ｂ）に示すように、側板３２の第１側面部３２ａ、第２側面部３２ｂ及び曲面部３２ｃの下辺部に沿って形成されている。
【００４２】
この底板接合部３２ｅは、図３（ｂ）に示すように、その第１側面部３２ａ及び第２側面部３２ｂの下辺部に沿って形成された部分では、その下辺部に直角な幅方向の寸法は略一定に形成されているのに対して、その曲面部３２ｃの下辺部に沿って形成された部分では、その幅方向の寸法が、曲面部３２ｃの下辺部の両端から中央に近づくにつれて徐々に小さくなるように形成されており、曲面部３２ｃの下辺部の略中央において、底板接合部３２ｅの幅方向の寸法が最も小さくなるように形成されている。
【００４３】
また、側板３２の水平方向の一方の端部、すなわち、側板３２の第１側面部３２ａの右辺部（図３（ａ）の右側の辺部）には、図３（ｂ）に示すように、第１側面部３２ａと略平行、かつ、第１側面部３２ａから箱体部２４ａの内側（図の下側）へ向けてわずかに凹んで段差状に形成された板状の側板接合部３２ｆが、図３（ａ）に示すように、側板３２の第１側面部３２ａの右辺部に沿って形成されている。
【００４４】
このような側板３２と底板３０が、図２に示すように、底板３０が箱の底部を構成し、４つの側板３２が箱の側面を構成するように組み合わされることにより、箱体部２４ａは、その上端部が開放された箱形の水平方向の四隅部の角部のそれぞれに、所定の曲げ半径Ｒで形成された曲面部３２ｃが、角部の上端部から下端部まで連続して形成されたような形状に形成されている。
【００４５】
このとき、４つの側板３２はそれぞれが、図２に示すように、その第１側面部３２ａの右辺部と、これと隣り合って配置される他の側板３２の第２側面板部３２ｂの左辺部が、箱体部２４ａの各側面の水平方向の略中央位置で互いに突き合わせるように配置され、この突き合わせた部分において互いに接合されるようになっている。
【００４６】
すなわち、図４（ａ）に示すように、図中左側の側板３２の第１側面部３２ａの右辺部に設けられた側板接合部３２ｆの外側面（図中上側の面）が、隣り合って配置された図中右側の他の側板３２の第２側面板部３２ｂの左辺部に沿ってその内側面（図中下側の面）に接触するように配置され、この接触部が、容器の外側（図の上側）から、図中右側の側板３２の第２側面部３２ｂの左辺部に沿って設けられた溶接部Ｗ５で連続して溶接されると共に、容器の内側（図の下側）から、図中左側の側板３２の側板接合部３２ｆの右辺部に沿って設けられた溶接部Ｗ６で部分的に溶接されることにより、互いに隣り合う側板３２同士が隙間なく接合されている。
【００４７】
そして、側板３２と底板３０は、側板３２の曲面部３２ｃの下辺部が底板３０の四隅部に、側板３２の第１側面部３２ａ及び第２側面部３２ｂの下辺部が底板３０の四隅部に隣接する辺部に、それぞれ沿うようにその上面に接触して配置され、この接触部において互いに接合されるようになっている。
【００４８】
すなわち、図４（ｂ）に示すように、側板３２の下辺部に設けられた底板接合部３２ｅの下面が、底板３０の辺部に沿うようにその上面に接触して配置され、この接触部が、容器の外側（図の左下側）から、底板３０の辺部の外縁部に沿って設けられた溶接部Ｗ７で連続して溶接されると共に、容器の内側（図の右上側）から、側板３２の底板接合部３２ｅの先端部に沿って設けられた溶接部Ｗ８で部分的に溶接されることにより、側板３２と底板３０が隙間なく接合されている。
【００４９】
このように、箱体部２４ａを構成する底板３０と４つの側板３２は、それらが互いに接触して接合されるそれぞれの接合部において、それぞれの部材同士が隙間なく接合されるようになっていた。
【００５０】
また、このような箱体部２４ａの側部の上端部寄りの位置には、図２に示すように、箱体部２４ａの開口部を補強するために、長さ方向に対して垂直な断面が略正方形に形成された角型パイプ状の補強鉢巻３４（図８（ｂ）参照）が設けられている。この補強鉢巻３４は、その長さ部分を箱体部２４ａの上端部寄りの側部の外周に沿って水平方向に巻き付けるように配置されている。
【００５１】
そして、このような箱体部２４ａの底部には、容器本体２４の脚部２４ｂとして、図５（ａ）及び（ｂ）に示すように、長さ方向に対して垂直な断面が略長方形に形成された４つの桁材３６が設けられている。これらの桁材３６は、その長さ部分が箱体部２４ａの底板３０の下面に沿って容器本体２４の前後方向（図５（ａ）の上下方向）に伸び、４つの桁材３６が互いに所定の間隔をおいて平行に並ぶように配置されている。
【００５２】
そして、これら４つの桁材３６のうちの２つ目と３つ目の桁材３６の間には、図５（ａ）及び（ｂ）に示すように、３つの山形傾斜桁材３８が互いに所定の間隔をおいて平行に並ぶように設けられている。
【００５３】
これらの山形傾斜桁材３８はそれぞれが、図５（ｂ）に示すように、所定の長さを有する長方形の板状の部材を、その長さ方向と直角な幅方向の中央位置で略９０度に折り曲げたような山形状に形成され、図５（ａ）に示すように、その長さ方向が桁材３６の長さ方向と直角な方向に伸びて、隣り合う一対の桁材３６の間を繋ぐように連結して配置されている。
【００５４】
また、４つの桁材３６のうちの１つ目と２つ目の桁材３６の間、及び３つ目と４つ目の桁材３６の間にはそれぞれ、図５（ａ）及び（ｂ）に示すように、４つの補強桁材４０が互いに所定の間隔をおいて平行に並ぶように設けられている。
【００５５】
これらの補強桁材４０は、図５（ｂ）に示すように、桁材３６に比べてその高さ方向の寸法がかなり小さく形成され、図５（ａ）に示すように、隣り合う一対の桁材３６の間を繋ぐように連結して配置されている。
【００５６】
そのため、容器本体２４が地面の上に設置された状態で、その底部に設けられた４つの桁材３６のうちの１つ目と２つ目の桁材３６の間、及び３つ目と４つ目の桁材３６の間には、補強桁材４０とその下方の地面との間に、上下方向の大きな隙間が形成されるようになっている。
【００５７】
このような容器本体２４は、所定の厚さを有する鋼板をプレス加工等により形成された側板３２及び底板３０を箱形に組み合わせてその各部を溶接したものの側部に、所定の長さに切り出された角型鋼管を曲げて形成された補強鉢巻３４を溶接して固定することによりその箱体部２４ａが形成するようになっている。
【００５８】
特に、側板３２は、所定の厚さを有する鋼板上に、側板３２の各部（第１側面部３２ａ、第２側面部３２ｂ、曲面部３２ｃ、上端補強部３２ｄ、底板接合部３２ｅ、側板接合部３２ｆ）を一体的かつ平面的に形成して切り出し、その後、プレス加工等により曲げて側板３２の各部を形成するようになっている。
【００５９】
このような容器本体２４は、例えば、箱体部２４ａの水平方向の一辺の寸法が１１００〜１３５０ｍｍに形成された場合には、箱体部２４ａの水平方向の四隅部の角部のそれぞれに、曲げ半径Ｒが５０〜１５０ｍｍの曲面部３２ｃが形成されるようになっている。
【００６０】
そして、箱体部２４ａの底部に、角型鋼管を所定の長さに切り出してその両端部を鋼板で塞いで形成された桁材３６や、鋼板をプレス加工等により折り曲げて形成された山形傾斜桁材３８及び補強桁材４０を、箱体部２４ａの底板３０や隣り合って接触する他の部材に溶接して固定することによりその脚部２４ｂが形成されるようになっている。
【００６１】
保管用密閉容器２２の蓋部材２６は、図６（ａ）に示すように、容器本体２４の上端部の開口部を閉塞できるように、その平面形状が容器本体２４の開口部より一回り大きな略正方形に形成されている。
【００６２】
そして、蓋部材２６の上面には、図６（ａ）に示すように、所定の長さを有する丸棒状の部材を、その長さ方向の途中の複数の位置で折り曲げて形成したような２つの取っ手２７が、上面の左右方向の略中央位置に、上面の前後方向（図の上下方向）の略中央を挟んで対称となるような位置にそれぞれ設けられている。
【００６３】
また、蓋部材２６の下面には、図６（ａ）及び（ｂ）に破線で示すように、蓋部材２６の周縁部を補強するために、周縁部補強材２６ａが、蓋部材２６の周縁部に沿って設けられている。この周縁部補強材２６ａは、蓋部材２６の下面の、蓋部材２６の外形部より少し内側から下方に向けて板状の部材が突出するように形成されており、全体として容器本体２４の開口部よりわずかに小さな角筒状に形成されている。
【００６４】
そして、同じように蓋部材２６を補強するため、図６（ａ）及び（ｂ）に破線で示すように、格子状補強材２６ｂが、蓋部材２６の下面の、周縁部補強材２６ａに囲まれたその内側部に設けられている。この格子状補強材２６ｂは、蓋部材２６の下面から下方に向けて板状の部材が突出するように形成されており、縦横方向にそれぞれ２つずつの板状の部材が格子状に直交し、周縁部補強材２６ａに囲まれたその内側部を略９等分するように配置されている。
【００６５】
そして、蓋部材２６が容器本体２４の上端部に載置されたときに、蓋部材２６と容器本体２４が接触する部分、すなわち、蓋部材２６の下面の、周縁部補強材２６ａより外側の部分には、図６（ｂ）及び図８（ｂ）に示すように、弾性材料により形成されたパッキン２６ｃが、蓋部材２６の周縁部に沿って設けられている。
【００６６】
このような蓋部材２６は、例えば、プレス加工等により鋼板を容器本体２４の開口部より一回り大きい略正方形に形成し、その上面に棒鋼を曲げて形成された取っ手２７を溶接して固定し、その下面に鋼板により形成された周縁部補強材２６ａや格子状補強材２６ｂを溶接して固定し、さらに、蓋部材２６の下面の周縁部に、合成樹脂材料により形成されたパッキン２６ｃを接着剤等により固定することにより形成されるようになっている。
【００６７】
そして、このような蓋部材２６を容器本体２４の上端部に載置することにより、容器本体２４の上端部の開口部が閉塞されるようになっている。そしてこのとき、図８（ｂ）に示すように、蓋部材２６の下面の周縁部に沿って設けられたパッキン２６ｃが、容器本体２４の上端部に設けられた側板３２の上端補強部３２ｄの真上側に沿って密着することにより、保管用密閉容器２２の内部に密閉された空間が形成されるようになっている。
【００６８】
保管用密閉容器２２の締結部材２８は、図７（ａ）に示すように、所定の長さを有する２つの直線部２８ａが、その長さ方向の一方の端部同士が互いの角度が略直角となり、かつ、互いの端部同士の接合される部分が曲線状になるように接合されており、全体としてその平面形状は略Ｌ字型に形成されている。
【００６９】
この締結部材２８の直線部２８ａは、図７（ｂ）に示すように、その長さ方向に対して垂直な断面形状が、楔部２８ｃから斜め上方に伸びる上側押え部２８ｄと、楔部２８ｃから斜め下方に向かって伸びる下側押え部２８ｅから構成される鋏状に形成され、上側押え部２８ｄは、その斜め上方に伸びたその先端部からさらに水平方向に伸びるように曲げられて形成されている。
【００７０】
また、図７（ａ）に示すように、締結部材２８の２つの直線部２８ａが互いに接合される部分には曲線部２８ｂが形成されている。この曲線部２８ｂは、２つの直線部２８ａのそれぞれの端部の間に連続して形成され、図１に示すように、その平面形状は容器本体２４と蓋部材２６の四隅部に沿うように形成されている。
【００７１】
また、図７（ａ）に示すように、締結部材２８の両端部、すなわち２つの直線部２８ａが互いに接合される端部の曲線部２８ｂと反対側の端部には、締結金具２９がそれぞれ設けられている。
【００７２】
これらの締結金具２９は、図７（ｂ）に示すように、所定の長さを有する板状の部材の、その長さ方向の一方の端部が、締結部材２８の上側押え部２８ｄの上面に固定されると共に、その長さ方向の他方の端部が、その断面が円形になるように円筒状に丸められて形成され、その円筒形状の内側にはボルト孔２９ａが形成されている。
【００７３】
そして、締結金具２９は、図７（ａ）に示すように、そのボルト孔２９ａの軸線が締結部材２８の直線部２８ａの長さ方向と平行となると共に、図７（ｂ）に示すように、ボルト孔２９ａが結部材２８の直線部２８ａより水平方向の外側（図の左側）に位置するように締結部材２８の両端部に設けられている。
【００７４】
このような締結部材２８は、例えば、鋼板をプレス加工等により断面形状が鋏状、かつ、全体が略Ｌ字型に曲げて形成し、これに同じように鋼板を曲げて形成された締結金具２９を溶接して固定することにより形成されるようになっている。
【００７５】
そして、このような締結部材２８が、図１に示すように、容器本体２４の上端部とそこに載置された蓋部材２６の周縁部に沿うように配置され、図８（ｂ）に示すように、その上側押え部２８ｄと下側押え部２８ｅとが、容器本体２４の上端部に設けられた側板３２の上端補強部３２ｄの真下側と、蓋部材２６の周縁部の上面を上下から挟み込むようになっている。
【００７６】
そして、図８（ａ）に示すように、隣り合って配置された一対の締結部材２８の両端部に設けられた、互いに対向する一対の締結金具２９のボルト孔２９ａに、ボルト４２を連続して挿通し、このボルト４２の頭部と反対側の端部にナット４４を締結してこれを締め付けるようになっている。
【００７７】
これにより、対向する一対の締結金具２９が互いに接近する方向に移動するように締め付けられるため、４つの締結部材２８は、水平方向の外側から内側に向かって互いに接近する方向に移動するように締め付けられるようになっている。
【００７８】
このとき、図８（ｂ）に示すように、締結部材２８の上側押え部２８ｄと下側押え部２８ｅが、蓋部材２６の周縁部の上面と、容器本体２４の上端部に設けられた側板３２の上端補強部３２ｄの真下側にそれぞれ接触し、その状態からボルト４２とナット４４をさらに締め付けることにより、蓋部材２６の周縁部と容器本体２４の上端部が、パッキン２６ｃを弾性変形させながら、互いに上下方向に接近する方向に移動するため、保管用密閉容器２２の開口部を確実に閉塞することができ、その内部空間の密閉状態が維持されるようになっている。
【００７９】
このような本実施の形態に係る保管用密閉容器２２は、容器本体２４と蓋部材２６によって形成された内部空間に放射性廃棄物を収納し、締結部材２８を用いて容器を密閉することにより、容器の密閉状態を維持したまま、放射性廃棄物等を安全に保管することができるようになっている。
【００８０】
また、保管用密閉容器２２は、容器本体２４の底部に設けられた桁材３６の間にフォークリフトのフォークを差し込むことができるようになっているため、フォークリフトを用いて保管用密閉容器２２を持ち上げて移動させて、他の同形の保管用密閉容器２２の上に積み重ねることができるようになっている。
【００８１】
また、保管用密閉容器２２は、その容器本体２４の底部に桁材３６及び山形傾斜桁材３８が設けられ、その蓋部材２６の上面に取っ手２７が設けられていることにより、保管用密閉容器２２を他の同形の保管用密閉容器２２の上に積み重ねたときに、正しい位置に積み重ねることができるようになっている。
【００８２】
すなわち、保管用密閉容器２２を他の同形の保管用密閉容器２２の上の、水平方向の前後又は左右にずれた位置に積み重ねようとすると、保管用密閉容器２２の山形傾斜桁材３８又は桁材３６が、下の保管用密閉容器２２の取っ手２７と接触してこれに沿って移動することにより、保管用密閉容器２２が正しい位置に導かれるようになっている。
【００８３】
そして、本実施の形態に係る保管用密閉容器２２は、その容器本体２４の箱体部２４ａの水平方向の四隅部の角部に、所定の曲げ半径Ｒで形成された曲面部３２ｃが形成されていることにより、上方からの荷重が箱体部２４ａの四隅部に集中しても、その荷重が曲面部３２ｃの全体に分散するようになっており、箱体部２４ａの四隅部の角部の一点に集中しないようになっている。
【００８４】
また、箱体部２４ａの側面を構成する４つの側板３２のそれぞれが、箱体部２４ａの各側面の水平方向の略中央位置で互いに接合されるようになっていることにより、上方からの荷重が箱体部２４ａの四隅部に集中しても、それぞれの側板３２の接合部の溶接個所に集中しないようになっている。
【００８５】
このことにより、本実施の形態に係る保管用密閉容器２２は、上方からの荷重に対する強度が大きく向上している。
【００８６】
そして、保管用密閉容器２２の強度が向上することにより、補強のためのリブ等を容器の内側に設ける必要がなくなるため、容量が増やすことができ、容器の製造コストを低減することができる。
【００８７】
また、側板３２の下端部に形成された底板接合部３２ｅは、その幅方向の寸法が、曲面部３２ｃの下辺部の両端から中央に近づくにつれて徐々に小さくなるように形成されているため、プレス加工等により側板３２を曲げ加工したときに、底板接合部３２ｅの曲面部３２ｃの下辺部に沿って形成された部分にしわや歪みができにくくなるため、その分、加工の手間が減って溶接がし易くなり、容器の製造コストをさらに低減することができる。
【００８８】
以上のように、本実施の形態に係る保管用密閉容器２２を用いることにより、上方からの荷重に対して十分な強度を有し、その製作コストを低減することができる。
【００８９】
図９ないし図１０は、本考案の第２の実施の形態に係る放射性廃棄物保管用密閉容器５２について説明するために参照する図である。なお、図１ないし図８に示した保管用密閉容器２２と同様の部分については、一部を除き同じ符号を付して説明するものとする。
【００９０】
本実施の形態に係る保管用密閉容器５２は、図９に示すように、図１に示す保管用密閉容器２２における締結部材２８のかわりに締結部材５８を備える点において、前記第１の実施の形態に係る保管用密閉容器２２とその構成が異なるものである。
【００９１】
そして、本実施の形態に係る保管用密閉容器５２における締結部材５８は、図７に示すような締結部材２８における締結金具２９のかわりに、図１０に示すような締結金具５９を備える点において、締結部材２８とその構成が異なるものである。
【００９２】
すなわち、締結部材５８の両端部に設けられた締結金具５９は、図１０（ａ）に示すように、そのボルト孔５９ａの軸線が締結部材５８の直線部２８ａの長さ方向と平行となると共に、図１０（ｂ）に示すように、ボルト孔５９ａが締結部材５８の直線部２８ａの上方に位置するように締結部材５８の両端部に設けられている。
【００９３】
これにより、締結金具５９が保管用密閉容器５２の外側に突出しないため、容器の設置作業時に、隣接する他の容器や作業機械に締結金具５９が接触してにくくなっており、作業時の容器の取り扱いを向上させることができるようになっている。
【００９４】
また、締結金具５９が、保管用密閉容器５２の外側に突出しないため、その分、保管用密閉容器５２の水平方向の寸法を大きくして、その容量を大きくすることができる。
【００９５】
その他の構成は、前記第１の実施の形態に係る保管用密閉容器２２と同様であり、図９に示すように、前記第１の実施の形態に係る保管用密閉容器２２と同様の容器本体２４及び蓋部材２６を備えている。
【００９６】
このような本考案の第２の実施の形態に係る保管用密閉容器５２を用いることによっても、上方からの荷重に対して十分な強度を有し、その製作コストを低減することができる。
【００９７】
さらに、本実施の形態に係る保管用密閉容器５２においては、容器の設置作業時における容器の取り扱いを向上させ、その容量をより大きくすることができる。
【００９８】
なお、本考案は、前記第１，第２の実施の形態のみに限定されるものではなく、本考案の目的を達成することができる範囲内であれば、種々の変更が可能である。
【００９９】
例えば、前記第１，第２の実施の形態に係る保管用密閉容器２２，５２においては、その容器本体２４の箱体部２４ａは、略正方形の底部を有する角型の箱状に形成されていたが、底部の形状は正方形以外の例えば略長方形に形成されていてもよい。
【０１００】
また、前記第１，第２の実施の形態に係る保管用密閉容器２２，５２においては、容器本体２４の底部に、４つの桁材３６が設けられていたが、設ける桁材３６の数は、３つ以下であってもよく、５つ以上であってもよい。
【０１０１】
また、前記第１，第２の実施の形態に係る保管用密閉容器２２，５２においては、Ｌ字型の締結部材２８，５８を締め付けることにより、容器内部に密閉空間を形成していたが、他の方法で密閉するものであってもよい。
【符号の説明】
【０１０２】
２  保管用密閉容器
４  容器本体
４ａ  箱体部
６  蓋部材
８  締結部材
１０  底板
１２  側板
１２ａ  側面部
１２ｂ  底板接合部
１２ｃ  側板接合部
１４  桁材
Ｗ１〜Ｗ４  溶接部
２２  保管用密閉容器
２４  容器本体
２４ａ  箱体部
２４ｂ  脚部
２５  芯金
２６  蓋部材
２６ａ  周縁部補強材
２６ｂ  格子状補強材
２６ｃ  パッキン
２７  取っ手
２８  締結部材
２８ａ  直線部
２８ｂ  曲線部
２８ｃ  楔部
２８ｄ  上側押え部
２８ｅ  下側押え部
２９  締結金具
２９ａ  ボルト孔
３０  底板
３２  側板
３２ａ  第１側面部
３２ｂ  第２側面部
３２ｃ  曲面部
３２ｄ  上端補強部
３２ｅ  底板接合部
３２ｆ  側板接合部
３４  補強鉢巻
３６  桁材
３８  山形傾斜桁材
４０  補強桁材
４２  ボルト
４４  ナット
Ｗ５〜Ｗ８  溶接部
５２  保管用密閉容器
５８  締結部材
５９  締結金具
５９ａ  ボルト孔
【図１】
0003219222.tif 000003
【図２】
0003219222.tif 000004
【図３】
0003219222.tif 000005
【図４】
0003219222.tif 000006
【図５】
0003219222.tif 000007
【図６】
0003219222.tif 000008
【図７】
0003219222.tif 000009
【図８】
0003219222.tif 000010
【図９】
0003219222.tif 000011
【図１０】
0003219222.tif 000012
【図１１】
0003219222.tif 000013
【図１２】
0003219222.tif 000014